(57)【特許請求の範囲】
【請求項１】
容器内面側の容器蓋の底面に固定することが出来る固定可能部分を備えた器具において、前記器具が軸(棒)を取り付ける取り付け部分を備え、前記取り付け部分が、前記軸を公転回転させる為の首振り機能、及び/又は、前記軸を自転回転させる為の回転機能を備えたことを特徴とする軸接合器具。
【請求項２】
前記取り付け部分に取り付ける軸が抽出対象物を備えた軸又は抽出対象物を備え付ける機能を備えた軸であることを特徴とする請求項１記載の軸接合器具。
【発明の詳細な説明】
【技術分野】
【０００１】
本願発明は、軸(棒)を取り付ける取り付け部分を備え、且つ、容器蓋に固定すること事が出来る固定可能部分を備えた軸接合器具に関するものである。
【背景技術】
【０００２】
成分の抽出時間を短縮させる為に、ティーパック等の抽出対象物に軸を備え付けて、前記軸を手で使って掻き回すことが出来るものや、軸に掻き混ぜ部分を設けて水中を掻き回す軸は存在するが、これらの軸には、容器蓋に固定する機能は備えていない。
【先行技術文献】
【特許文献】
【０００３】
【特許文献１】登録実用新案３０１７５３４号
【特許文献２】特許公開２００３−０６３５６２号
【発明の概要】
【発明が解決しようとする課題】
【０００４】
本願発明軸接合器具は、手を濡らさず（汚さず）に、容器外に軸に備えられた抽出対象物（ティーパック等）を取り出せることを第一の課題とし、又、容器を密封することで軸を手で掴めない状態において、抽出対象物（ティーパック等）の抽出時間を短縮させることを第二の課題とする。
【課題を解決するための手段】
【０００５】
上記課題を解決する為に、軸(棒)を取り付ける取り付け部分を備え、且つ、容器蓋に固定すること事が出来る固定可能部分を備えた軸接合器具を作成する。  
【０００６】
又、前記取り付け部分に取り付ける軸が抽出対象物を備えた軸又は抽出対象物を備え付ける機能を備えた軸であることを特徴とする軸接合器具を作成する。
【０００７】
更に、前記取り付け部分が、前記軸を首振りさせる機能（首振り機能）及び/又は前記軸を回転させる軸機能（回転機能）を備えたことを特徴とする軸接合器具を作成することにより本願発明の効果が発揮できる。
【発明の効果】
【０００８】
軸(棒)を取り付ける取り付け部分を備え、且つ、容器蓋に固定すること事が出来る固定可能部分を備えた軸接合器具を作成する。又、前記取り付け部分に取り付ける軸が抽出対象物を備えた軸又は抽出対象物を備え付ける機能を備えた軸であることを特徴とする請求項１記載の軸接合器具を作成する。この効果を下記に述べる。
【０００９】
前記軸(棒)が備えた機能の一例として特許公開２００３−０６３５６２には、ティーパックに軸（棒）を備えさせる手段で、ティーパックを深く浸漬させたうえで、前記軸を手に持って手動で掻き混ぜることで抽出時間を短縮させることを課題にしています。
【００１０】
この場合、上記ティーパックが備えた軸（棒）を容器蓋に固定することが出来る軸接合器具を作成する事で、前記容器蓋に前記軸が固定されることにより、容器を密封したことにより前記軸を手に持って手動で掻き混ぜられない状態においても、容器を揺り動かす手段で、前記軸によって浸漬させたティーパックを手動で掻き混ぜるのと同じ効果を与えることが出来る。  以下においてティーパックを備えた前記軸（棒）を容器蓋に固定することによる効果を述べる。
【００１１】
この状態（ティーパックを備えた前記軸を容器蓋に固定した状態）で円を描いて容器を揺り動かすと、容器内に回転水流が発生する。前記軸の先端を前記容器蓋に固定した場合は、前記軸の末端に備えられたティーパックは、この回転水流による水流効果により掻き混ぜるのと同じ効果を与えられて抽出時間を短縮することが可能となる。
【００１２】
又、既成のティーパックは成分抽出後に膨張するので、抽出後は、ペットボトルの様な口幅の狭い容器からの取り出しが困難である。軸を備えたティーパックにおいて、前記軸を容器蓋に固定させることで、濡れている軸やティーパックで手を濡らす（汚す）ことなく、容器蓋をつまんで成分抽出後のティーパックを容器から引き抜いて取り出すことが可能である。その他、抽出対象物を備えていない軸を容器蓋に設けることについての効果は、００５１項で詳しく説明する。
【００１３】
次に、前記取り付け部分が、前記軸を首振りさせることが出来る機能（首振り機能）及び/又は前記軸を回転させることが出来る機能（回転機能）を備えたことを特徴とする軸接合器具作成する。この効果を下記に述べる。尚、首振り機能及び回転機能の定義の詳細については、００４８項で説明する。
【００１４】
０００９項で述べた軸を、本願発明軸接合器具を用いて容器蓋に固定することで、前記軸が首振り機能を持つので、００１１項で述べた回転水流により、前記軸に備え付けられたティーパックは容器蓋を支点として公転回転する事が出来る。この公転回転によりティーパックの抽出時間が短縮される。
【００１５】
又、前記軸を本願発明軸接合器具を用いて容器蓋に固定することで、前記軸が回転機能を持つので、００１１項で述べた回転水流により、前記軸に備え付けられたティーパックは軸を中心に自転回転する事が出来る。この自転回転によりティーパックの抽出時間が短縮される。
【００１６】
尚、前記軸に首振り機能と回転機能の両方を備えさせることが出来る軸接合器具を作成して前記軸を容器蓋に固定した場合、前記軸に備え付けられたティーパックは、公転回転に加えて自転回転を行う事が出来るので、この双方の回転効果で、ティーパックの抽出時間が短縮される。
【図面の簡単な説明】
【００１７】
【図１】既成のペットボトルキャップ５に圧入ジョイント１ａを使用して軸７の先端を固定した図を示す。
【図２】圧入ジョイント１ａの底面図を示す。
【図３】図１、図２における圧入ジョイント１ａをペットボトルキャップ５に用いた場合の分解図を示す。
【図４】図２で示す圧入ジョイント１ａの底面に軸１の先端を接合できるゴム管の接合ジョイント９を備えた圧入ジョイント１ａ´を示す。
【図５】図２で示す圧入ジョイント１ａの底面に軸７の先端を接合できる突起物１１を持つ取り付け部分１０を備えた圧入ジョイント１ａ´´を示す。
【図６】フレンジジョイント１ｂを用いた場合の分解図を示す。
【図７】ティーパック１４を備えた軸７がペットボトルキャップ５に固定されて使用する場合の動作を示す。
【図８】浮遊手段１５，１５´を備えた軸７がペットボトルキャップ５に固定されて使用する場合の動作を示す。
【発明を実施するための形態】
【実施例１】
【００１８】
実施例１では本願発明軸接合器具１についてペットボトルキャップ専用に使う圧入ジョイント１ａについて説明する。
【００１９】
圧入ジョイント１ａとは、内側に軸７を取り付ける取り付け部分を備え、且つ、外側をペットボトルキャップ５の底面に装着して固定することが出来ることを特徴とするペットボトルキャップ用圧入軸固定器具の事である。以下において、図を用いて説明する。
【００２０】
図１で示すように既成のペットボトルキャップ５の底面には閉める際に、その外周がペットボトルの口に密着挿入固定されることにより水漏れを防止する内輪突起物６が設けられているものが多い。
【００２１】
実施例１で示す形態の圧入ジョイント１ａは、前記内輪突起物６の内側に、その外側を圧入できる機能を備えており、この圧入によりペットボトルキャップ５の底面に圧入固定することが出来る。
【００２２】
又、中央に軸７を圧入出来る取り付け部分（穴）２を備えており、前記取り付け部分（穴）２に軸７を挿入させることにより、軸７はペットボトルキャップ５の底面に固定することが出来る。
【００２３】
図２では、圧入ジョイント１ａの底面図を示す。図２で示すように圧入ジョイント１ａには、中央に軸７の上方先端を圧入固定する取り付け部分（穴）２がある。
【００２４】
又、外周の一部がＣ字の開口空間３備えており、図１で示したように内輪突起物６の内側に、前記圧入ジョイント１ａの外周を圧入する際に、このＣ字の開口空間３の変形弾性を利用して圧入を可能にする。
【００２５】
さらに、脱落防止の為に、圧入ジョイント１ａのＣ字の開口空間３の反対側の外周の内側に線バネ４を備えて、線バネ４の外周に開けられた穴から外に突き出た線バネ４の腕が内輪突起物６の内側に引っかかる機能を備えている。
【００２６】
この線バネ４によってペットボトルキャップ５が底面に備えるに内輪突起物６の内側に、その上部外面をはめ込んだ圧入ジョイント１ａは強固に固定される。
【００２７】
尚、ペットボトルキャップ５の内輪突起物６の形状によっては、線バネ４を使用しなくても、圧入ジョイント１ａの外周の一部が備えているＣ字の開口空間３の変形弾性の力のみで固定することが出来る場合がある。
【００２８】
軸７の圧入力を確保する為に圧入ジョイント１ａ少なくとも内輪突起物６の高さ相当の厚みを持たせている。側面から見た場合は、やや台形状にしている方が圧入固定に適する場合がある。
【００２９】
既製品のペットボトルキャップ５のキャップ底面には前記内輪突起物６が設けられているものが多いので、前記圧入ジョイント１ａを用いる事で、軸７をキャップ底面に嵌めこめるので、従来の既成のペットボトルキャップ５にそのまま使用出来るので、軸を固定できる機能を持つペットボトルキャップ５を作る必要が無くなる
【００３０】
図３は、圧入ジョイント１ａを使用する場合の分解図である。尚、この図は０００３項の特許文献において、特許公開２００３−０６３５６２号で記載している軸付ティーパックを末端に備えた軸の先端を、固定する場合の図を描いている。この様にして、ペットボトル８に挿入される。
【００３１】
この様にして、軸７を取り付ける軸７を固定できる取り付け部分（中央の穴２）を備え、且つ、容器蓋５に固定すること事が出来る固定可能部分（開口空間３の変形弾性及び/又は線バネ４）を備えた軸接合器具として、圧入ジョイント１ａはその機能を発揮する。
【００３２】
次に、００１５項、００１６項、００１７項で説明したように、軸７をペットボトルキャップ５の底面に固定するにおいて、首振り機能及び/又は回転機能を軸に備えさせることが出来る圧入ジョイント１ａ´について説明する。
【００３３】
図４は、軸３に首振り機能及び/又は回転機能を備えさせるために、取り付け部分２として可撓性（ゴム管やバネ等）を持つ接合ジョイント９を備えさせた圧入ジョイント１ａ´を示している。この様に接合ジョイント９に可撓性を持たせることで、接合ジョイント９に圧入して固定された軸７は首振り機能を備える。
【００３４】
又、接合ジョイント９にベアリング等を備えさせて回転機能を併合して持たせた場合は、００１６項で述べたように、軸７は公転回転に加えて、自転回転も可能となる。
【００３５】
図５は、軸７に首振り機能及び/又は回転機能を備えさせるために、取り付け部分２として突起物１１を備えた取り付け部分１０を備えた圧入ジョイント１ａ´´を示している。前記取り付け部分１０にも００３３項で説明した図４で示す接合ジョイント９と同様に、可撓性を備えさせた場合は、より一層の首振り機能を持つ。
【００３６】
尚、軸３の先端には前記突起物１１に嵌めこんで接合する事が出来るベロを持つ空間１２を持つ嵌めこみ部分１３を備えさせており、嵌め込むことで首振り機能および回転機能を備えさせている。前記ベロを持つ空間１２を持つはめ込み部分１３を軸７の先端に備えた軸７は、発明人が新たに創造したもので、既製品ではない。
【００３７】
もちろん、ペットボトルキャップ１の取り付け部分２を前記嵌めこみ部分１３の形状にして、軸７の先端を突起物１１の形状にしても構わない。
【００３８】
この形態においては、軸７の先端にある嵌めこみ部分１３を、前記突起物１１に嵌めこんだ隙間により、００１７項で述べたように、軸７は公転回転に加えて、自転回転も可能となる。
【実施例２】
【００３９】
実施例２では、ペットボトルキャップ５以外の容器８´でも使用する事が可能な、フレンジジョョイント１ｂの形態である本願発明軸接合器具１について説明する。
【００４０】
フレンジジョョイント１ｂとは、内側に軸を取り付ける取り付け部分２を備え、且つ、フレンジを持つ事で容器蓋５を用いて容器８内に固定できることを特徴とする容器蓋用軸固定器具１の事である。
【００４１】
フレンジジョイント１ｂを使用する場合の分解図を図６で示すが、フレンジの中央の設ける軸７の取り付け部分は、実施例１で用いた中央の取り付け部分（穴）２、又は、接合ジョイント９、突起物１１を備えた取り付け部分１０のような前述した形態により、軸に７に首振り機能及び/又は回転機能を備えさせることが可能となる。
【実施例３】
【００４２】
実施例３においては、前述した本願発明軸接合器具を用いた場合の使用方法について、図４で示した圧入ジョイント１ａ´を用いて図７で説明する。
【００４３】
図７で示すように、前記圧入ジョイント１ａ´によってペットボトルキャップ５に取り付けられた前記軸７の末端付近には、テンビン状にティーパック１４を取り付けることが出来る部品を備えた器具を設けて、テンビンの一方にティーパック１４を、他方に浮遊手段１５を備えさせる。前記浮遊手段１５には、ティーパック１４のバランスを整えて水平に保ち、且つ、００１１項で述べた回転水流Ｃの影響を受けやすくする効果がある
【００４４】
又、軸７の末端には錘１６を備えさえている。尚、実施例３においてはティーパック１４を備え付けることが出来る部品を説明用に拡大している。もちろん、軸７を持つティーパック１４は、０００３項で前述した特許公開２００３−０６３５６２号を使用しても構わない。
【００４５】
このようにして、抽出対象物（ティーパック１４）を備えられた軸７がペットボトルキャップ５に固定されて使用する事が可能となる。続いて、どのような手段を用いて抽出時間を短縮させるかを以下に述べる。
【００４６】
図７において、ペットボトル８の上部を手１７で掴んで矢印Ａの方向に手動で揺り動かすと、接合ジョイント９が持つ可撓性により前記軸７は首振り機能を備え、ペットボトルキャップ５を支点として矢印Ｂの方向に円を描く公転回転Ｂを行う。００１１項でも述べたが、この動作により、ペットボトル８内には矢印Ｃの方向に回転水流Ｃが発生する。
【００４７】
前記接合ジョイント９が持つ回転機能により、前記回転水流Ｃの影響を受けて、前記軸７はティーパック１４を伴い矢印Ｄの方向に自転回転Ｄを行う。実施例１においては、軸７の末端に錘１６を備えさせることで、軸７の重心を低くさせている。このように、軸７の重心を低くすることで、首振り機能は大きくなる利点がある。
【００４８】
尚、本願発明における首振り機能とは、容器蓋５に軸７を固定する際に、軸７に遊動性を持たせる機能であり、これにより軸７は容器蓋５を支点にした公転回転Ｂを行うことが可能となる。又、本願発明における回転機能とは、容器蓋１に備え付けられた軸７が自転回転Ｄを行うことを可能とする機能である。
【００４９】
更に、本願発明軸接合器具１は、００１２項で述べたように、濡れている軸７やティーパック１４で手を濡らす（汚す）ことなく、成分抽出後のティーパックを容器から引き抜いて取り出せる利点を備えている。
【００５０】
抽出対象物を取り付ける機能を持つ軸７を本願発明軸接合器具に取り付けた場合の説明を以上である。尚、本願発明軸接合器具は抽出対象物を備えない軸においても以下のような効果がある。実施例４においてその効果を述べる。
【実施例４】
【００５１】
図８で示す実施例４では、図７で取り付けたティーパック１４の代わりに浮遊手段１５´を取り付ける。尚、実施例４で使用するペットボトル内には顆粒状の成分抽出粉末１８（顆粒のダシ等）が混入されている。
【００５２】
図８で示すように、実施例３と同じ動作を行うと、錘１６で重心を末端に持つ軸７に設けられた浮遊手段１５、１５´は、００１１項で述べた回転水流Ｃの発生により、ペットボトル８内を公転回転Ｂ、自転回転Ｄを繰り返すことで水中を掻き回すので、成分抽出粉末１８が拡散されて成分抽出時間が短縮される。
【００５３】
この様に、抽出対象物を取り付ける機能を持つ軸７ではなく、水中を掻き回す機能を持つ軸７においても、本願発明軸接合器具の効果は発揮することが出来る。
【００５４】
以上述べたように、本願発明軸接合器具により容器蓋５´に固定されることで、軸７が持つ様々機能を、容器８´を密封した状態でも実現することが可能となる。
【００５５】
又、００１２項で述べたが、本願発明軸接合器具を使用する事で、軸７や既成のティーパック１４を、手を濡らす（汚す）ことなく、手についている汚れ（雑菌）を容器の液体に触れさせることなく、水を満たした容器への出し入れが可能となるので、軸７を用いる全ての器具を容器内で使用する場合の衛生上にも優れている。
【００５６】
又、容器蓋の底面に、本願発明軸接合器具の他の装着手段としては、容器蓋の底面への接着、吸着、ネジでの取り付け等、さまざまな手法が考えられる。
【００５７】
実施例では、ゴム管のような可撓性を持つ材質で首振り機能を持たせたが、バネ等の弾力性のあるものを用いても、首振り機能は実現する。
【符号の説明】
【００５８】
１    本願発明軸接合器具（圧入ジョイント１ａ、フレンジジョイント１ｂ）  
２    軸７を取り付けることが出来る部分（穴）
３    Ｃ字の開口空間
４    線バネ
５    ペットボトルキャップ（容器蓋）
６    内輪突起物
７    軸
８    ペットボトル（容器）
９    接合ジョイント
１０  取り付け部分
１１  突起物
１２  空間
１３  嵌めこみ部分
１４  ティーパック
１５  浮遊手段
１６  錘
１７  手
１８  成分抽出粉末（顆粒のダシ等）
Ａ  ペットボトル１０を揺り動かす方向を示す矢印
Ｂ  軸７の公転回転を示す矢印
Ｃ  回転水流を示す矢印
Ｄ  軸７の自転回転を示す矢印  
【要約】      （修正有）【課題】手を濡らさず（汚さず）に、容器外に軸に備えられた抽出対象物（ティーパック等）を取り出せ、又、容器を密封することで軸を手で掴めない状態において、抽出対象物（ティーパック等）の抽出時間を短縮させる。【解決手段】軸(棒)を取り付ける取り付け部分２を備え、且つ、容器蓋に固定すること事が出来る固定可能部分４を備えた軸接合器具１ａであり、取り付け部分に取り付ける軸が、抽出対象物を備えた軸又は抽出対象物を備え付ける機能を備えた軸であることを特徴とする。【選択図】図２【図１】
0005497928.tif 000002
【図２】
0005497928.tif 000003
【図３】
0005497928.tif 000004
【図４】
0005497928.tif 000005
【図５】
0005497928.tif 000006
【図６】
0005497928.tif 000007
【図７】
0005497928.tif 000008
【図８】
0005497928.tif 000009